(57)【特許請求の範囲】
【請求項１】
多孔質体の一部を反応液を含む物質に接触させ、かつ前記多孔質体の前記反応液を含む物質と非接触部分の少なくとも一部を開放した状態で、前記多孔質体に対してエネルギーを与えて改質することを特徴とする、多孔質体の改質方法。
【発明の詳細な説明】
【０００１】
【発明の属する技術分野】
本発明は多孔質体の改質方法に関する。
【０００２】
【従来の技術】
多孔質体を改質するために、改質剤として液体状のものを用いる場合、例えば、改質剤溶液中に多孔質体を浸漬して、多孔質体に改質剤溶液を担持させた後、紫外線を照射して多孔質体を改質する方法が知られている。しかしながら、このような方法により多孔質体を改質すると、紫外線を照射することによって改質剤溶液が蒸発して多孔質体が乾燥してしまうため、多孔質体を十分に改質することが困難であった。そのため、改質剤溶液が蒸発するのを見越して、多孔質体に大量の改質剤溶液を担持させると、多孔質体表面に形成される改質剤溶液の層によって紫外線が吸収されてしまい、紫外線が多孔質体まで到達することができず、多孔質体を十分に改質することができなかった。
【０００３】
他方、固体試料表面上に透明ガラスを密着させて、毛細管現象を利用することにより、固体試料表面と透明ガラスとの間に改質剤溶液の層を形成させた状態で、紫外線などの光を照射して固体試料表面を改質する方法が提案されている。この方法によれば、改質剤溶液を毛細管現象により固体試料表面と透明ガラスとの間に供給することができ、前記のような改質剤溶液の蒸発による弊害はない。そのため、この技術を多孔質体の処理に応用することが考えられるが、この方法によると、光を照射することによって、改質剤溶液から気泡が発生し、透明ガラスの下側に滞留するため、多孔質体を十分に改質することができなかった。
【０００４】
【発明が解決しようとする課題】
本発明は上記の問題点を解決するためになされたものであり、十分に表面を改質することのできる多孔質体の改質方法を提供することを目的とする。
【０００５】
【課題を解決するための手段】
本発明の多孔質体の改質方法は、多孔質体の一部を反応液を含む物質に接触させ、かつ前記多孔質体の前記反応液を含む物質と非接触部分の少なくとも一部を開放した状態で、前記多孔質体に対してエネルギーを与えて改質する方法である。この方法によって、反応液を含む物質から反応液を適量供給できるため、また、気泡が滞留することがないため、多孔質体を十分に改質することができる。更に、反応液を含む物質を介することによって、処理する多孔質体の厚さに左右されることなく、十分に改質することができる。
【０００６】
【発明の実施の形態】
本発明の多孔質体の改質方法について、改質状況を模式的に表す断面図である図１を参照しながら説明する。
【０００７】
図１は本発明の多孔質体１の改質方法の、改質状況を模式的に表す断面図である。
【０００８】
図１においては、反応容器３中に反応液２が注液されており、また、この反応容器３の中央部に反応液２を含むことのできる物質５（以下、「供給物質５」という）が配置されている。また、この供給物質５の上には改質すべき多孔質体１が配置されている。そして、この多孔質体１の上方には光源４が配置されている。
【０００９】
図１においては上記のような構成からなるため、光源４から多孔質体１に対して光を照射して、多孔質体１を改質することができる。なお、光源４から多孔質体１に対して光を照射して、多孔質体１から反応液２が蒸発したとしても、供給物質５から多孔質体１へ反応液２が供給されるため、多孔質体１は乾燥することなく、多孔質体全体が改質される。また、光を照射することによって気泡が発生したとしても、多孔質体１の供給物質５との非接触部は開放されているため、気泡を速やかに大気中へ放出することができ、気泡の滞留による改質の弊害は生じない。このような改質方法によれば、処理する多孔質体の厚さに左右されることなく、十分に改質することができる。
【００１０】
本発明方法により改質することのできる多孔質体１としては、多孔質のものであれば改質することができる。より具体的には、例えば、発泡体、開口部を有するフィルム、繊維シート（例えば、不織布、織物、編物、或いはこれらの複合体など）を改質することができる。
【００１１】
また、本発明の改質方法においては、多孔質体１と供給物質５との非接触部分の少なくとも一部を開放した状態でエネルギーを与えるため、この非接触部分から発生する可能性のある気泡を大気中へ放出することができる。もちろん、気泡を大気中へ放出するという作用の点から、前記非接触部分全部が開放された状態にあるのが好ましい。なお、この「開放した状態」とは、気泡の大気中への放出を妨げない状態をいい、一般的には多孔質体１の非接触部分に気体以外何も接触していない状態をいう。
【００１２】
本発明における多孔質体１に対してエネルギーを与える手段としては、図１のように光（例えば、紫外線、赤外線、放射線、電子線、超音波など）をランプ又はレーザー等により照射する方法や、加熱する方法などがある。
【００１３】
本発明の供給物質５は多孔質体１へ反応液２を供給する働きをするため、多孔質体１を改質をする際に、反応液２が蒸発したとしても多孔質体全体を改質することができる。この供給物質５としては、例えば、発泡体、繊維シート（例えば、不織布、織物、編物、或いはこれらの複合体など）などを使用することができる。
【００１４】
図１の改質方法においては、多孔質体１の一部を供給物質５と接触させる。これは多孔質体１の全体を供給物質５と接触させると、エネルギーが多孔質体１まで到達しにくいためである。なお、多孔質体１と供給物質５との接触は、図１のように重力を利用しても良いし、強制的に加圧しても良い。
【００１５】
図２は本発明の多孔質体１の改質方法の、別の改質状況を模式的に表す断面図である。
【００１６】
図２においては、多孔ロール６中に反応液２が注液されており、この多孔ロール６の周囲に供給物質５が配置されている。また、この供給物質５の周囲（下方）には改質すべき多孔質体１が接触しており、この多孔質体１を供給物質５の周囲と連続的に接触できるように、一対の搬送ロール７が設置されている。そして、この多孔質体１の下方には光源４が配置されている。
【００１７】
図２においては上記のような構成からなるため、光源４から多孔質体１に対して光を照射して、多孔質体１を改質することができる。なお、光源４から多孔質体１に対して光を照射して、多孔質体１から反応液２が蒸発したとしても、供給物質５から多孔質体１へ反応液２が供給されるため、多孔質体１は乾燥することなく、多孔質体全体が改質される。また、光を照射することによって気泡が発生したとしても、多孔質体１の供給物質５との非接触部は開放されているため、気泡を速やかに大気中へ放出することができ、気泡の存在による改質の弊害は生じない。このような改質方法によれば、多孔質体１を連続的に改質できるため、工業的に有意義である。
【００１８】
なお、上記以外の点については、図１の改質方法と全く同様である。また、図２においては、多孔質体１が供給物質５の周囲の下側と接触する態様であるが、多孔質体１が供給物質５の周囲の上側と接触しても、或いは供給物質５の周囲のほぼ全体と接触しても、同様の効果を奏する。
【００１９】
図１〜図２をもとにした前述の説明においては、多孔質体の反応液又は供給物質との非接触部分が大気と接触している場合について説明したが、本発明においては、非接触部分が大気と接触している場合に限られず、窒素、不活性ガスなどの気体と接触している場合にも前述と同様に多孔質体を改質することができる。
【００２０】
以下に、本発明のより具体的な実施例を記載するが、本発明は以下の実施例に限定されるものではない。
【００２１】
【実施例】
（実施例）図１のように、反応容器３（たて１５ｃｍ、よこ１５ｃｍ、高さ３ｃｍ）中に、反応液２として、Ｎａ2Ｓ2Ｏ5３ｍａｓｓ％、ベンゾフェノン０．２ｍａｓｓ％、界面活性剤３ｍａｓｓ％とを含む水溶液を注液した。次いで、この反応容器３の中央部に供給物質５として、厚さ５ｍｍのガラス不織布を配置して反応液２を吸液させた。次いで、ポリエチレン繊維５０ｍａｓｓ％、ポリプロピレン繊維５０ｍａｓｓ％からなる不織布（多孔質体１）の片面が、前記スポンジと接触するように単に載置した。そして、この不織布の上方に配置した紫外線照射装置から紫外線を３０分間照射して、不織布の改質を行った。なお、紫外線の照射は光源と不織布との距離を５ｃｍとし、空気雰囲気、室温下で行った。また、不織布のスポンジとの接触面の反対側の面は開放した状態とした。この不織布の改質は反応液の蒸発による反応液の不足や、気泡により妨げられることなく実施することができた。
【００２２】
【発明の効果】
本発明の多孔質体の改質方法は、多孔質体の一部を反応液を含む物質に接触させ、かつ前記多孔質体の前記反応液を含む物質と非接触部分の少なくとも一部を開放した状態で、前記多孔質体に対してエネルギーを与えて改質する方法である。この方法によって、反応液を含む物質から反応液を適量供給できるため、また、気泡が滞留することがないため、多孔質体を十分に改質することができる。更に、反応液を含む物質を介することによって、処理する多孔質体の厚さに左右されることなく、十分に改質することができる。
【図面の簡単な説明】
【図１】  改質状況の模式的断面図
【図２】  別の改質状況の模式的断面図
【符号の説明】
１  多孔質体
２  反応液
３  反応容器
４  光源
５  供給物質
６  多孔ロール
７  搬送ロール
【図１】
0003792905.tif 000002
【図２】
0003792905.tif 000003